(57)【要約】【課題】  ＳＩＰサーバ障害にはＳＩＰサーバを介さずに直接発信を行う。【解決手段】  ＳＩＰサーバ３０２は音声ゲートウエイ装置３０１からのＳＩＰリクエストに対する認証機能を有する。メモリ部６は、ＰＳＴＮ網４０１から要求された際の接続先がＳＩＰサーバを介さず直接発信を行う対象の番号であるか否かの情報と直接発信を行う際のＳＩＰリクエスト転送先を対応付けて登録した転送指定テーブル７を備えている。ＰＳＴＮ網からの要求によりＩＰ網へ発信時にＳＩＰサーバの障害のためにＳＩＰサーバから所定時間内に応答信号がない（応答タイマ５のタイムアウト）場合には、当該接続先が転送指定テーブルに登録されている直接発信対象のＳＩＰリクエスト転送先であれば、該ＳＩＰリクエスト転送先へ直接にＳＩＰリクエストを転送する。ＳＩＰリクエスト転送先はＳＩＰ電話機２０１または他の音声ゲートウエイ装置３０３であり得る。【選択図】        図１
2005094715.tif 000002
【特許請求の範囲】
【請求項１】
ＳＩＰサーバを用いたＩＰ網に接続される音声ゲートウェイ装置であって、
ＰＳＴＮ網から要求された際の接続先が前記ＳＩＰサーバを介さず直接発信を行う対象の番号であるか否かの情報と直接発信を行う際のＳＩＰリクエスト転送先を対応付けて登録した転送指定テーブルを備え、
前記ＰＳＴＮ網からの要求により前記ＩＰ網へ発信時に前記ＳＩＰサーバの障害のためにＳＩＰサーバから所定時間内に応答信号がない場合には、当該接続先が前記転送指定テーブルに登録されている直接発信対象のＳＩＰリクエスト転送先であれば、該ＳＩＰリクエスト転送先へ直接にＳＩＰリクエストを転送することを特徴とする音声ゲートウェイ装置。
【請求項２】
前記ＳＩＰリクエストが転送された接続先の障害のために所定時間内に応答信号がない場合には、更に前記転送指定テーブルに登録されている他の直接発信対象のＳＩＰリクエスト転送先へ直接にＳＩＰリクエストを転送することを特徴とする請求項１に記載の音声ゲートウェイ装置。
【請求項３】
前記直接発信対象のＳＩＰリクエスト転送先は、他の音声ゲートウェイ装置であることを特徴とする請求項１または請求項２に記載の音声ゲートウェイ装置。
【発明の詳細な説明】
【技術分野】
【０００１】
本発明は、ＳＩＰ（Session Initiation Protocol）サーバを配置したＩＰ電話システムにおける音声ゲートウェイ装置、特に障害発生時の対応手段を備えた音声ゲートウェイ装置に関する。
【背景技術】
【０００２】
ＩＰ網内にＳＩＰサーバを配置して、ＳＩＰサーバが発側端末と着側端末呼接続時のＳＩＰリクエストを中継・転送することでＩＰアドレスや網構成を意識することなくＩＰ網を利用した通話を利用することができるようにしたＩＰ電話システムが知られている。ＳＩＰサーバは、端末であるＳＩＰ電話機に対する認証をも行う。
【０００３】
図３は、このようなＩＰ電話システムに、ＰＳＴＮ網４０２との通話接続を実現する音声ゲートウェイ装置３０１が接続された構成を示したものである（公知文献発明でない）。ＩＰ網４０２にはＳＩＰサーバ３０２および複数のＳＩＰ電話機２０１〜２０Ｎが接続され、ＰＳＴＮ網４０１には複数の電話機１０１〜１０Ｎが接続されている。音声ゲートウェイ装置３０１はＩＰ網４０２およびＰＳＴＮ網４０１の間に接続され、双方向の通話接続を実現する。ＳＩＰサーバ３０２は、主にＳＩＰ電話機２０１〜２０Ｎや音声ゲートウェイ装置３０１に対する認証やＳＩＰリクエストの転送を行う役割を担う。
【０００４】
図４は、図３に示したＩＰ電話システムで電話機１０１からＳＩＰ電話機２０１へ接続する場合の制御の流れを示したものである。電話機１０１からの呼接続要求は、ＰＳＴＮ網４０１を経由し音声ゲートウェイ装置３０１との間で呼接続手順が行われる（手順５１１）。音声ゲートウェイ装置３０１は、ＰＳＴＮ網４０１からの呼接続要求を受け付けると、ＳＩＰ電話機２０１への接続要求を行うためにＳＩＰサーバ３０２へＳＩＰリクエストの転送を依頼し（手順５１２）、ＳＩＰサーバ３０２は音声ゲートウェイ装置３０１からのＳＩＰリクエストをＳＩＰ電話機２０１へ転送し呼接続要求を行う（手順５１３）。
【０００５】
また、ＳＩＰサーバを配置したＩＰ電話システムにおける音声ゲートウェイ装置ではないが、ＩＰ網を介して接続される他の複数の音声ゲートウェイ装置毎に障害の有無を記載した状態管理テーブルを備え、発信時に状態管理テーブルを参照して障害のある音声ゲートウエイ装置を通信相手として選択しないよう制御している技術が知られている（例えば、特許文献１参照）。この技術によれば、呼出信号タイムアウトを待つ必要がなくなるので呼接続時間を短縮できる。
【０００６】
更に、音声ゲートウエイ装置そのものに関する技術ではないが、発呼側の電話機と着呼側の電話機とが交換機ならびにトランキングゲートウエイを介してインターネット網と接続されるとともに交換機がＰＳＴＮとも接続されており、トランキングゲートウエイに設けられたパケット受信監視部がインターネット網を介して受信したパケットを監視し、通話品質レベルが所定の閾値を超えて劣化するとインターネット網からＰＳＴＮに通話路を切り替えるようにした技術が知られている（例えば、特許文献２参照）。
【０００７】
【特許文献１】特開２００２−２９０５５０（第１頁ー第３頁、図１）
【特許文献２】特開２００２−１７６４９５（第１頁ー第２頁、図１）
【発明の開示】
【発明が解決しようとする課題】
【０００８】
しかしながら、図４に示した技術では、ＩＰ網においてＳＩＰサーバにより呼接続動作を行うため、ＳＩＰサーバに障害が発生した場合には通話が行えなくなるという問題点がある。
【０００９】
また、特開２００２−２９０５５０記載の技術では、全ての呼が音声ゲートウエイ装置を経由して行われることを前提にしているので、そうではない呼についてまでも状態管理テーブルで管理する必要がある。
【００１０】
また、特開２００２−１７６４９５記載の技術では、障害発生時にはインターネット網から離脱して通話を行うことになる。
【００１１】
そこで、本発明の目的は、ＩＰ網への接続時において、通信相手となるＳＩＰサーバが障害中でも呼接続を可能とする音声ゲートウェイ装置を提供することにある。
【課題を解決するための手段】
【００１２】
請求項１記載の発明は、ＳＩＰサーバを用いたＩＰ網に接続される音声ゲートウェイ装置であって、ＰＳＴＮ網から要求された際の接続先がＳＩＰサーバを介さず直接発信を行う対象の番号であるか否かの情報と直接発信を行う際のＳＩＰリクエスト転送先を対応付けて登録した転送指定テーブルを備え、ＰＳＴＮ網からの要求によりＩＰ網へ発信時にＳＩＰサーバの障害のためにＳＩＰサーバから所定時間内に応答信号がない場合には、当該接続先が転送指定テーブルに登録されている直接発信対象のＳＩＰリクエスト転送先であれば、該ＳＩＰリクエスト転送先へ直接にＳＩＰリクエストを転送することを特徴とする。
【００１３】
請求項２記載の発明は、請求項１記載の発明において、ＳＩＰリクエストが転送された接続先の障害のために所定時間内に応答信号がない場合には、更に転送指定テーブルに登録されている他の直接発信対象のＳＩＰリクエスト転送先へ直接にＳＩＰリクエストを転送することを特徴とする。
【００１４】
請求項３記載の発明は、請求項１記載または請求項２記載の発明において、直接発信対象のＳＩＰリクエスト転送先は、他の音声ゲートウェイ装置であることを特徴とする。
【発明の効果】
【００１５】
本発明によれば、ＩＰ網への接続時にＳＩＰサーバに障害が発生しても、予め登録されている番号に対する接続の場合には、ＳＩＰ電話機またはゲートウェイ装置を接続先として選択し、ＳＩＰリクエストをその接続先へ直接送信することで、ＳＩＰサーバが障害の間通話ができない事態を回避し通話を継続することが可能である。
【発明を実施するための最良の形態】
【００１６】
本発明の音声ゲートウェイ装置は、ＳＩＰサーバを用いたＩＰ網に接続される音声ゲートウェイ装置であって、ＰＳＴＮ網から要求された際の接続先がＳＩＰサーバを介さず直接発信を行う対象の番号であるか否かの情報と直接発信を行う際のＳＩＰリクエスト転送先を対応付けて登録した転送指定テーブルを備える。そして、ＰＳＴＮ網からの要求によりＩＰ網へ発信時にＳＩＰサーバの障害のためにＳＩＰサーバから所定時間内に応答信号がない場合には、当該接続先が転送指定テーブルに登録されている直接発信対象のＳＩＰリクエスト転送先であれば、該ＳＩＰリクエスト転送先へ直接にＳＩＰリクエストを転送することを特徴とするものである。
【実施例１】
【００１７】
以下、本発明の実施例につき図面を参照しながら説明する。本発明は、図３に示したＩＰ電話システムにおいて適用される。先の記載と重複するが、説明の流れ上、このＩＰ電話システムの基本的な動作を図３により説明する。
【００１８】
ＩＰ網４０２にはＳＩＰサーバ３０２および複数のＳＩＰ電話機２０１〜２０Ｎが接続され、ＰＳＴＮ網４０１には複数の電話機１０１〜１０Ｎが接続されている。音声ゲートウェイ装置３０１はＩＰ網４０２およびＰＳＴＮ網４０１の間に接続され、双方向の通話接続を実現する。ＳＩＰサーバ３０２は、主にＳＩＰ電話機２０１〜２０Ｎや音声ゲートウェイ装置３０１に対する認証やＳＩＰリクエストの転送を行う役割を担う。
【００１９】
図１は本発明の音声ゲートウェイ装置３０１の一実施例を示す。図１においては、ゲートウェイ装置３０１の詳細を図示したため電話機１０１〜１０Ｎの図示を省略している。図１において、音声ゲートウェイ装置３０１は、ＰＳＴＮインタフェース部１，ＩＰインタフェース部２，スイッチ部３，制御部４，応答タイマ５およびメモリ部６を有し、メモリ部６は転送指定テーブル７を含んでいる。
【００２０】
音声ゲートウェイ装置３０１は、ＰＳＴＮ網側発信時においてはＰＳＴＮインタフェース部１を介してＰＳＴＮ網４０１に接続され、ＩＰインタフェース部２を介してＩＰ網４０１に接続される。
【００２１】
ＰＳＴＮインタフェース部１は、ＩＳＤＮ網等ＰＳＴＮ網４０１のとのインタフェースを有し、シグナリング信号および音声信号の送受信を行う。また、ＩＰインタフェース部２は、ＩＰ網４０１に対して、ＳＩＰリクエストおよび音声パケットの送受信を行う。スイッチ部３は、音声ゲートウェイ装置３０１内でＰＳＴＮインタフェース部１およびＩＰインタフェース部２の間の接続を行い、音声パケットの中継を行う。
【００２２】
制御部４は、音声ゲートウェイ装置３０１内部の各構成要素からの信号の送受信等を認識しする。また、メモリ部６に格納される制御プログラムを読み出し、当該制御プログラムに基づいて各構成要素の動作を制御する。
【００２３】
応答タイマ５は、ＩＰ網４０１へのＳＩＰリクエスト送信後、応答信号が受信されない場合に応答信号のタイムアウトを検出する。
【００２４】
メモリ部６は、ＳＩＰリクエスト送信後の応答タイムアウト時に、該接続先がＳＩＰサーバを３０２介さず直接発信を行う対象の番号であるか否かの情報と、直接発信を行う際のＳＩＰリクエスト送信先を対応づけて記載した転送指定テーブル７を備えるとともに、音声ゲートウェイ装置３０１の制御プログラムを格納している。
【００２５】
図２は、ＰＳＴＮ網４０１からの着信によりＩＰ網４０２へ接続する際の動作を番号を付した破線により示す図である。図２に基づいて、ＳＩＰサーバ３０２の動作について説明する。
【００２６】
先ず、音声ゲートウェイ装置３０１がＰＳＴＮ網４０１からの呼接続要求信号を受信すると、制御部４はＰＳＴＮインタフェース部１を介して呼接続要求信号を受信したことを認識する（破線１）。続いて、制御部４は呼接続要求信号の内容から接続先の電話番号に基づきメモリ部６へ問い合わせ（破線２）、ＳＩＰサーバ３０２への接続を決定し、応答タイマ５へタイマ起動動作を指示する（破線３）。
【００２７】
また、ＩＰインタフェース部２へ送信先をＳＩＰサーバ３０２としたＳＩＰリクエストの編集およびＩＰ網４０２への送信を指示する（破線４）ことにより、ＩＰ網４０２に接続されたＳＩＰサーバ３０２への接続を行う。なお、送信先としては、転送指定テーブル７への登録の説明で言及したように、ＳＩＰサーバを３０２介さず直接発信を行う対象をも含まれるが、そのような発信先であってもＳＩＰサーバ３０２による認証を受けるためにＳＩＰサーバ３０２へ接続される。
【００２８】
ＳＩＰサーバ４０２が正常の場合、ＳＩＰサーバ３０２は音声ゲートウェイ装置３０１から受信したＳＩＰリクエストを接続先のＳＩＰ電話機２０１へ転送し、ＳＩＰ電話機２０１からの応答信号を受信することで今度は音声ゲートウェイ装置３０１へ応答信号を転送する（破線１２）。これにより、音声ゲートウェイ装置では、応答タイマ５のタイムアウト前に制御部４がＩＰ網から応答信号をＩＰインタフェース部２を介して受信する。
【００２９】
次に、ＳＩＰサーバ３０２が障害により応答を返さない場合、制御部４が応答信号を受信する前に応答タイマ５からのタイムアウト通知を受信（破線５）することになる。制御部４は接続先の電話番号に基づき転送指定テーブル７に対し、該接続先が直接発信の対象の番号であるか否かの情報と、対象である場合には対応する直接発信先を問い合わせる（破線６）。
【００３０】
続いて制御部４は、転送指定テーブル７より得られた直接接続先であるＳＩＰ電話機２０１への接続を決定し、応答タイマ５へタイマ起動動作を指示（破線７）し、ＩＰインタフェース部２へ送信先をＳＩＰ電話機２０１としたＳＩＰリクエストの再編集およびＩＰ網４０２への送信を指示する（破線８）ことにより、ＩＰ網４０２に接続されたＳＩＰ電話機２０１への接続を行う。この場合は、ＳＩＰサーバ３０２を経由しないで送信が行われるので、やむを得ずＳＩＰ電話機２０１に対する認証も行われない。
【００３１】
この場合、ＳＩＰ電話機２０１が正常であれば、制御部４はＳＩＰ電話機２０１からの応答信号をＩＰ網４０２およびＩＰインタフェース部２を介して受信（破線９）し、続いて応答タイマ５へタイマ停止動作を指示する（破線１０）。また、必要に応じてＰＳＴＮ網インタフェース部１を介してＰＳＴＮ網４０１への応答信号の送信を指示する（破線１１）。
【００３２】
一方、ＳＩＰ電話機２０１も障害により応答を返さない場合、ＳＩＰサーバ３０２の障害時と同様に、制御部４は応答信号を受信する前に応答タイマ５からのタイムアウト通知を受信し、転送指定テーブル７に対し次候補の接続先を問い合わせる。制御部４は、得られた直接接続先である他の音声ゲートウェイ装置３０３への接続を決定し、応答タイマ５へタイマ起動動作を指示し、ＩＰインタフェース部２へ送信先を音声ゲートウェイ装置３０３としたＳＩＰリクエストの再編集およびＩＰ網４０２への送信を指示することにより、ＩＰ網４０２に接続された音声ゲートウェイ装置３０３への接続を行う。
【００３３】
音声ゲートウェイ装置３０３が正常である場合、制御部４は音声ゲートウェイ装置３０３からの応答信号をＩＰ網４０２およびＩＰインタフェース部２を介して受信（破線９）し、続いて応答タイマ５へタイマ停止動作を指示（破線１０）し、必要に応じてＰＳＴＮ網インタフェース部１を介してＰＳＴＮ網４０１への応答信号の送信を指示する（破線１１）。
【図面の簡単な説明】
【００３４】
【図１】本発明の音声ゲートウェイ装置の一実施例の構成を示すブロック図
【図２】図１に示した音声ゲートウェイ装置の動作を説明するための図
【図３】ＩＰ電話システムの一般的な構成を示すブロック図
【図４】ＩＰ電話システムにおける接続を示す図
【符号の説明】
【００３５】
１      ＰＳＴＮインタフェース部
２      ＩＰインタフェース部
３      スイッチ部
４      制御部
５      応答タイマ
６      メモリ部
７      転送指定テーブル
１００  電話機
２００  ＳＩＰ電話機
３０２  ＳＩＰサーバ
３０３  音声ゲートウェイ装置
４０１  ＰＳＴＮ網
４０２  ＩＰ網
【図１】
2005094715.tif 000003
【図２】
2005094715.tif 000004
【図３】
2005094715.tif 000005
【図４】
2005094715.tif 000006